(57)【要約】【課題】扉体の開放によって扉体の開放によって天井に接触し、その際に扉体が損傷する恐れがなく、且つ、接触の反動によって自重で扉体が閉まることをなくすことによって作業者の安全と作業性の向上が図れる住宅用分電盤の扉体構造を提供することにある。【解決手段】少なくとも前面に開口部を設けると共に内部に回路遮断器等の機器の取り付けが可能な機器取付板を設けた箱体本体と、該箱体本体の前記開口部を被覆すると共に掛合部によって開閉可能に動作する扉体とを設けてなる分電盤において、前記掛合部近傍には前記扉体を開放した際に頂点が前記箱体本体上面の高さを超えることのないように抑止手段を設けると共に自重によって閉じることのない保持手段を設けた。【選択図】図２
2010011559.tif 000002
【特許請求の範囲】
【請求項１】
少なくとも前面に開口部を設けると共に内部に回路遮断器等の機器の取り付けが可能な機器取付板を設けた箱体本体と、該箱体本体の前記開口部を被覆すると共に掛合部によって開閉可能に動作する扉体とを設けてなる分電盤において、前記掛合部近傍には前記扉体を開放した際に頂点が前記箱体本体上面の高さを超えることのないように抑止手段を設けると共に自重によって閉じることのない保持手段を設けたことを特徴とする住宅用分電盤の扉体構造。
【発明の詳細な説明】
【技術分野】
【０００１】
本発明は、住宅用分電盤の扉体構造に関するものである。
【背景技術】
【０００２】
従来、住宅用分電盤の扉体構造には特許文献１に記載されているような、扉体３４には支持部材を取り付け、配線被覆板または枠には、複数の引っ掛け部を設け、配線被覆板に設けられた支持部材は、配線被覆板に設けられた引っ掛け部に複数箇所で引っ掛け可能に形成され、係合位置を変更することにより、扉体３４の開放角度を変更可能とするものがある。
【０００３】
又、住宅分電盤の扉体構造には特許文献２に記載されているような、枠体の扉体４４との接合部には扉体受け部を設け、扉体４４には扉体受け部に対向するように扉体凸部を設け、扉体凸部を扉体受け部にワッシャを介して固定ネジで締め付けると共に、扉体４４にはリブを形成し、リブとネジ固定部材で固定ネジの頭部を挟持して扉体４４と固定ネジを一体化させることにより、扉体４４を開閉させて固定ネジが締め付けられたり緩んだりするものもある。
【特許文献１】特開平９−２５２５０７
【特許文献２】特開２００１−２７５２１５
【発明の開示】
【発明が解決しようとする課題】
【０００４】
しかしながら、特許文献１に記載の発明では支持部材によって扉体の開放角度を変更可能とするものであるため、別部材が必要となりコストが発生すると言う欠点がある。又、支持部材を引っ掛けるための引っ掛け部を配線被覆板に設けるため、部材の加工数が増え、生産に時間がかかるという欠点がある。又、扉体の開放を支持部材に頼るため、作業者の手等が接触することで支持部材の引っ掛かりが解除されて扉体が閉まり、作業者が負傷する恐れがあるという欠点がある。
【０００５】
又、特許文献２に記載の発明では住宅用分電盤を天井近傍に設置した場合、開放された扉体が天井に接触する場合があり、その際に扉体が損傷する恐れがあり、加えて接触による反動と自重によって扉体が閉まる恐れがあるという欠点がある。又、意図せずに扉体が閉まる恐れがあるため、作業者が負傷する恐れがあるという欠点がある。
【０００６】
このため、本発明によって解決しようとする課題は、扉体の開放によって扉体の開放によって天井に接触し、その際に扉体が損傷する恐れがなく、且つ、接触の反動によって自重で扉体が閉まることをなくすことによって作業者の安全と作業性の向上が図れる住宅用分電盤の扉体構造を提供することにある。
【課題を解決するための手段】
【０００７】
上記した課題を解決するためになされた本発明の住宅用分電盤の扉体構造は、少なくとも前面に開口部を設けると共に内部に回路遮断器等の機器の取り付けが可能な機器取付板を設けた箱体本体と、該箱体本体の前記開口部を被覆すると共に掛合部によって開閉可能に動作する扉体とを設けてなる分電盤において、前記掛合部近傍には前記扉体を開放した際に頂点が前記箱体本体上面の高さを超えることのないように抑止手段を設けると共に自重によって閉じることのない保持手段を設けた。
【発明の効果】
【０００８】
本発明の住宅用分電盤の扉体構造によれば、掛合部の近傍には開放した際に頂点が箱体本体上面を超えることのないように抑止手段を設けたため、天井近傍に設置した場合であっても、扉体を開放した際に天井に接触する恐れをなくすことが可能である。又、扉体が天井に接触した際に扉体が損傷する恐れがあり、加えて接触による反動によって作業者が意図せずに扉体が閉まり、作業者が負傷する恐れをなくすことが可能である。
【０００９】
又、接合部には自重によって閉じることのない保持手段を設けたため、作業者が意図せずに扉体が閉まり、作業者が負傷する恐れをなくすことが可能である。又、扉体が自重で閉じることを防ぐことが可能となるため、作業性の向上を図ることが可能である。
【発明を実施するための最良の形態】
【００１０】
本発明では、扉体が自重で閉まる恐れがなく、天井に接触する恐れもない住宅用分電盤の扉体構造を提供する。
【実施例１】
【００１１】
以下、本発明の実施の形態を説明する。
少なくとも前面に開口部を設けると共に内部に回路遮断器等の機器の取り付けが可能な機器取付板を設けた箱体本体１と箱体本体１の開口部を被覆すると共に掛合部１２、２２によって開閉可能に動作する扉体４、１４、２４とを設けてなる分電盤において、掛合部１２、２２近傍には扉体４、１４、２４を開放した際に頂点が箱体本体１上面の高さを超えることのないように抑止手段を設けると共に自重によって閉じることのないように保持手段を設けた。掛合部１２、２２によって扉体４、１４、２４の開閉を可能にし、抑止手段として、掛合部１２、２２の一部を延長させて係止部１３、２３を設け、係止部１３、２３の位置に合わせて扉体４、１４、２４にＬ字型の被係止部１５、２５を設けて扉体４、１４、２４開放時に係止部１３、２３によって開放を制限されるように形成した。これにより、扉体４、１４、２４を開放した際に天井に接触する恐れをなくすことが可能である。又、扉体４、１４、２４が天井に接触した際に扉体４、１４、２４が損傷する恐れをなくし、加えて接触による反動によって作業者が意図せずに扉体４、１４、２４が閉まり、作業者が負傷する恐れをなくすことが可能である。保持手段として、掛合部１２、２２にバネを設けることにより扉体４、１４、２４は開放状態を維持することが可能となる。これにより、自重によって閉じることをなくすことが可能となり、作業者が意図せずに扉体４、１４、２４が閉まり、作業者が負傷する恐れをなくすことが可能である。又、扉体４、１４、２４が自重で閉じることを防ぐことが可能となるため、作業性の向上を図ることが可能である。
【００１２】
以上のように、本発明の住宅用分電盤の扉体構造は、扉体を開放した際に、扉体が天井と接触することを防ぎ、又、自重によって閉じることを防ぐことで扉体の損傷を防ぐと共に作業者が負傷する可能性をなくし、又、作業性の向上を図ることのできる住宅用分電盤の扉体構造を提供するものである。
【図面の簡単な説明】
【００１３】
【図１】本発明の実施例１における、住宅用分電盤の扉を開いた際の側面図である。
【図２】本発明の実施例１における、図１のＡ部を拡大した側面断面図である。
【図３】本発明の実施例１における、図２の扉体を閉じた際の側面断面図である。
【図４】従来技術の特許文献１における住宅用分電盤の斜視図である。
【図５】従来技術の特許文献２における住宅用分電盤の斜視図である。
【符号の説明】
【００１４】
１    箱体本体
１２、２２    掛合部
１３、２３    係止部
４、１４、２４、３４、４４    扉体
１５、２５    被係止部
【図１】
2010011559.tif 000003
【図２】
2010011559.tif 000004
【図３】
2010011559.tif 000005
【図４】
2010011559.tif 000006
【図５】
2010011559.tif 000007